(57)【要約】【課題】デザイン性が優れ、しかも表示品位の優れたディスプレイ装置を提供することを目的とする。【解決手段】表示パネル２０を保持板２１の前面側に保持しかつ保持板２１の背面側に表示パネルに画像を表示するための駆動回路を搭載した回路基板を配置して構成した表示モジュールと、前記表示パネル２０の前面側に配置された前面フィルタ２２とを備え、前記前面フィルタ２２は、ガラス基板の周縁部に設けた遮光層２２ｂと、この遮光層２２ｂの内側部分を埋めるように設けた透過層２２ａとを備えた。【選択図】図５
2013019981.tif 000002
【特許請求の範囲】
【請求項１】
表示パネルを保持板の前面側に保持しかつ保持板の背面側に表示パネルに画像を表示するための駆動回路を搭載した回路基板を配置して構成した表示モジュールと、前記表示パネルの前面側に配置された前面フィルタとを備え、前記前面フィルタは、ガラス基板の周縁部に設けた遮光層と、この遮光層の内側部分を埋めるように設けた透過層とを備えたことを特徴とするディスプレイ装置。
【請求項２】
前記前面フィルタの遮光層と透過層は、液状物質を塗布することにより形成したことを特徴とした請求項１記載のディスプレイ装置。
【発明の詳細な説明】
【技術分野】
【０００１】
本発明は、薄型、軽量のプラズマディスプレイパネル（以下、パネルという）を表示デバイスとして用いたプラズマディスプレイ装置などの平面型のディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のパネルをアルミニウムなどの金属製のシャーシ部材の前面側に保持させ、そのシャーシ部材の背面側にパネルを発光させるための駆動回路を構成する回路基板を配置することによりモジュールを構成している（特許文献１参照）。
【先行技術文献】
【特許文献】
【０００６】
【特許文献１】特開２００５−３３１５５６号公報
【発明の概要】
【発明が解決しようとする課題】
【０００７】
本発明はこのような現状に鑑みなされたもので、デザイン性が優れ、しかも表示品位の優れたディスプレイ装置を提供することを目的とするものである。
【課題を解決するための手段】
【０００８】
上記目的を達成するために本発明のディスプレイ装置は、表示パネルを保持板の前面側に保持しかつ保持板の背面側に表示パネルに画像を表示するための駆動回路を搭載した回路基板を配置して構成した表示モジュールと、前記表示パネルの前面側に配置された前面フィルタとを備え、前記前面フィルタは、ガラス基板の周縁部に設けた遮光層と、この遮光層の内側部分を埋めるように設けた透過層とを備えたことを特徴とする。
【発明の効果】
【０００９】
本発明によれば、簡単な構成でデザイン性に優れたディスプレイ装置を提供することができるとともに、パネルと前面フィルタの間で外光反射がなくなるため、表示装置を見る者にとって、映像が見易くなるという表示品位を高めることができる。
【図面の簡単な説明】
【００１０】
【図１】本発明の一実施の形態によるプラズマディスプレイ装置に用いるパネルの要部を示す斜視図
【図２】同パネルの電極配列図
【図３】同プラズマディスプレイ装置の外観を示す斜視図
【図４】同プラズマディスプレイ装置の要部構造を示す分解斜視図
【図５】同プラズマディスプレイ装置の要部構造を示す断面図
【発明を実施するための形態】
【００１１】
以下、本発明の一実施の形態によるディスプレイ装置について、プラズマディスプレイ装置を例にとって、図１〜図５を用いて説明するが、本発明の実施の態様はこれに限定されるものではない。
【００１２】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１３】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１４】
図２はこのパネルの電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１５】
図３は上記で説明した構造のパネルを組み込んだ本発明の一実施の形態によるプラズマディスプレイ装置の外観を示す斜視図、図４に上記で説明した構造のパネルを組み込んだ本発明の一実施の形態によるプラズマディスプレイ装置の全体構成を示す分解斜視図、図５は図４に示すプラズマディスプレイ装置の要部構造を示す断面図である。
【００１６】
図３〜図５に示すように、表示パネル２０は、アルミニウムなどの金属製の保持板２１の前面側に保持されている。この保持板２１の背面側には、表示パネル２０に画像を表示するための駆動回路を搭載した回路基板（図示せず）が配置され、これにより表示モジュールが構成されている。前記表示モジュールは、光透過性のガラス基板により構成した前面フィルタ２２と表示モジュールの背面側を覆う金属製のバックカバー２３とからなる外装キャビネットに収容される。
【００１７】
前記表示パネル２０の前面側には、電磁遮蔽フィルタ２４を含む光学フィルタが配置され、その電磁遮蔽フィルタ２４は、前記表示パネル２０の周縁部に配置された枠体形状のアルミニウムやステンレスなどの金属製のフレーム２５により、前記保持板２１に電気的に接続されている。前記フレーム２５は、前面側に前記表示パネル２０の表示領域に対応する開口部２５ａと、この開口部２５ａの周囲に設けられ非表示領域に対応する取付面２５ｂとが設けられている。すなわち、フレーム２５は、取付面２５ｂが表示パネル２０の非表示領域を覆うように配置されている。また、表示パネル２０の前面に配置された電磁遮蔽フィルタ２４は、導電性ガスケットなどの導電性接着部材２６により金属製のフレーム２５に電気的に接続されている。
【００１８】
前記外装キャビネットにおいて、前記フレーム２５を覆うように配置される前面フィルタ２２は、前記フレーム２５のより寸法の大きい平板形状であり、前面フィルタ２２は、フレーム２５の開口部２５ａに対応する領域が光透過性の透過層２２ａで、フレーム２５の取付面２５ｂに対応する領域が暗色からなる遮光層２２ｂとなっている。そして、前面フィルタ２２の装飾領域２２ｂを前記フレーム２５の取付面２５ｂに、接着テープなどの接着部材２７で接着することにより配置されている。
【００１９】
図５に示すように、前面フィルタ２２の周縁部には、黒色などの暗色の遮光層２２ｂが１０±５μｍ程度の厚みで印刷等で設けられている。そして、遮光層２２ｂの内側部分を埋めるように、遮光層２２ｂと同じ厚みの透過層２２ａが設けられている。また、この透過層２２ａと遮光層２２ｂの全てを覆うように、表示パネル２０側の表面に透明粘着層２２ｃが設けられている。
【００２０】
この前面フィルタ２２は、表示パネル２０の表示面に貼り付ける際に、表示パネル２０との間に空気が混入しないように配置される。
【００２１】
ここで、透明粘着層２２ｃと透過層２２ａは、物理物性の中でも特に屈折率がガラスの１．４３に近い材料を用いることが望ましい。例えば、主成分が液状アクリルポリマー〔屈折率が１．４４０（２５℃）、粘度は２９．０ｍＰａ・ｓ（２５℃）、密度が１．１３６（２５℃）〕や、ウレタン系樹脂である化学材料〔屈折率が１．４４２（２５℃）、密度が１．１４０（２５℃）〕や、主成分はウレタンアクリル系樹脂である化学材料〔屈折率が１．４４４（２５℃）、密度が１．１４１（２５℃）〕が望ましい。
【００２２】
以上説明したように本発明においては、表示パネル２０を保持板２１の前面側に保持しかつ保持板２１の背面側に表示パネル２０に画像を表示するための駆動回路を搭載した回路基板を配置して構成した表示モジュールと、前記表示パネル２０の前面側に配置された前面フィルタ２２とを備え、前記前面フィルタ２２は、ガラス基板の周縁部に設けた遮光層２２ｂと、この遮光層２２ｂの内側部分を埋めるように設けた透過層２２ａとを備えたもので、簡単な構成でデザイン性に優れたディスプレイ装置を提供することができるとともに、パネルと前面フィルタの間で外光反射がなくなるため、表示装置を見る者にとって、映像が見易くなるという表示品位を高めることができる。
【産業上の利用可能性】
【００２３】
以上のように本発明によれば、簡単な構成でディスプレイ装置のデザイン性を高めるとともに、表示品位を向上させる上で有用な発明である。
【符号の説明】
【００２４】
２０  表示パネル
２１  保持板
２２  前面フィルタ
２２ａ  透過層
２２ｂ  遮光層
２２ｃ  透明粘着層
【図１】
2013019981.tif 000003
【図２】
2013019981.tif 000004
【図３】
2013019981.tif 000005
【図４】
2013019981.tif 000006
【図５】
2013019981.tif 000007